(57)【要約】【課題】バリア羽根とレンズとの接触が防止されたレンズ鏡筒及びカメラを提供する。【解決手段】本発明のレンズ鏡筒１０は、撮影光学系Ｌ１，Ｌ２，Ｌ３の光軸ＯＡと交差する方向に開閉するバリア羽根５０と、前記光軸ＯＡと交差する方向に備えられた第１面１６Ａａを有し、光学系Ｌ１を保持して前記バリア羽根５０に対して光軸ＯＡに沿った方向に相対移動可能な光学系保持枠１６と、前記第１面１６Ａａに対して相対移動可能な第２面４４Ｃｄを有し、前記光軸ＯＡを中心として回転することにより前記バリア羽根５０を開閉させる連動板４４とを含み、前記第１面１６Ａａは、前記バリア羽根５０が開いた状態において、前記第２面４４Ｃｄと当接せず前記光軸ＯＡ方向の移動が可能であり、前記バリア羽根５０が閉じた状態において、前記第２面４４Ｃｄと当接し前記光軸ＯＡ方向の移動が制限されることを特徴とする。【選択図】図６
2011154169.tif 000002
【特許請求の範囲】
【請求項１】
撮影光学系の光軸と交差する方向に開閉するバリア羽根と、
前記光軸と交差する方向に備えられた第１面を有し、光学系を保持して前記バリア羽根に対して光軸に沿った方向に相対移動可能な光学系保持枠と、
前記第１面に対して相対移動可能な第２面を有し、前記光軸を中心として回転することにより前記バリア羽根を開閉させる連動板とを含み、
前記第１面は、前記バリア羽根が開いた状態において、前記第２面と当接せず前記光軸方向の移動が可能であり、前記バリア羽根が閉じた状態において、前記第２面と当接し前記光軸方向の移動が制限されることを特徴とするレンズ鏡筒。
【請求項２】
請求項１に記載されたレンズ鏡筒であって、
前記第２面は、前記第１面と平行に備えられていることを特徴とするレンズ鏡筒。
【請求項３】
請求項２に記載されたレンズ鏡筒であって、
前記第１面及び前記第２面は、前記光軸と略直交する方向に備えられていることを特徴とするレンズ鏡筒。
【請求項４】
請求項１から請求項３のいずれか１項に記載されたレンズ鏡筒であって、
前記バリア羽根が開いた状態において、前記第１面は、前記第２面よりも像側の位置から、前記第２面よりも物体側の位置に移動可能であることを特徴とするレンズ鏡筒。
【請求項５】
請求項１から請求項４のいずれか１項に記載されたレンズ鏡筒であって、
撮影状態において、前記光学系保持枠の前記光学系は、前記バリア羽根よりも物体側の位置に移動可能であることを特徴とするレンズ鏡筒。
【請求項６】
請求項１から請求項５のいずれか１項に記載されたレンズ鏡筒であって、
前記第２面は、前記連動板に間隔を隔てて複数個所備えられていることを特徴とするレンズ鏡筒。
【請求項７】
請求項１から請求項６のいずれか１項に記載されたレンズ鏡筒であって、
前記バリア羽根と前記連動板との光軸方向の位置を規定するバリア筒と、
前記バリア筒を案内する第１カム溝、及び、前記光学系保持枠を案内する第２カム溝を有するカム筒とを備えることを特徴とするレンズ鏡筒。
【請求項８】
請求項７に記載されたレンズ鏡筒であって、
収納状態と撮影状態との間における、前記バリア筒の光軸方向の移動量は、前記光学系保持枠の光軸方向の移動量よりも少ないことを特徴とするレンズ鏡筒。
【請求項９】
請求項７又は請求項８に記載のレンズ鏡筒であって、
前記カム筒は前記光軸と平行な第３面を有し、
前記連動板は前記光軸と平行な第４面を有し、
前記カム筒の回転によって前記第３面が前記第４面を押圧することにより、前記バリア羽根が開放することを特徴とするレンズ鏡筒。
【請求項１０】
請求項１から請求項９のいずれか１項に記載されたレンズ鏡筒を備える光学装置。
【発明の詳細な説明】
【技術分野】
【０００１】
本発明は、レンズ鏡筒及び光学装置に関するものである。
【背景技術】
【０００２】
従来、１群レンズとバリア羽根が光軸方向において独立して駆動するレンズ鏡筒がある（特許文献１参照）。このようなレンズ鏡筒は、収納状態と撮影状態とにおいてバリア羽根と１群レンズとの相対位置が変化する。すなわち、収納状態では、バリア羽根が閉じることができるように１群レンズは光軸方向の像側へ退避する。そして撮影状態では、レンズ鏡筒全体としての外径を大きくすることなく大きな画角を得ることができるように、１群レンズはバリア羽根側へ近接する。
【先行技術文献】
【特許文献】
【０００３】
【特許文献１】特許第３５３３１３１号公報
【発明の概要】
【発明が解決しようとする課題】
【０００４】
近年においては、さらなるレンズの広角化のために、撮影状態において光軸方向におけるバリア羽根が配置された位置を超えて、１群レンズを前方に飛びさせる機構も採用されている。しかし、この機構の場合、レンズ鏡筒が撮影状態へ移行する際に、例えばバリア羽根が外力で押さえ付けられてバリア羽根が開かないと、バリア羽根に１群レンズ（光学系）が接触し、バリア羽根及び１群レンズが破損する可能性がある。
【０００５】
本発明の課題は、バリア羽根と光学系との接触が防止されたレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影光学系（Ｌ１，Ｌ２，Ｌ３）の光軸（ＯＡ）と交差する方向に開閉するバリア羽根（５０）と、前記光軸（ＯＡ）と交差する方向に備えられた第１面（１６Ａａ）を有し、光学系（Ｌ１）を保持して前記バリア羽根（５０）に対して光軸（ＯＡ）に沿った方向に相対移動可能な光学系保持枠（１６）と、前記第１面（１６Ａａ）に対して相対移動可能な第２面（４４Ｃｄ）を有し、前記光軸（ＯＡ）を中心として回転することにより前記バリア羽根（５０）を開閉させる連動板（４４）とを含み、前記第１面（１６Ａａ）は、前記バリア羽根（５０）が開いた状態において、前記第２面（４４Ｃｄ）と当接せず前記光軸（ＯＡ）方向の移動が可能であり、前記バリア羽根（５０）が閉じた状態において、前記第２面（４４Ｃｄ）と当接し前記光軸（ＯＡ）方向の移動が制限されることを特徴とするレンズ鏡筒（１０）である。
請求項２に記載の発明は、請求項１に記載されたレンズ鏡筒（１０）であって、前記第２面（４４Ｃｄ）は、前記第１面（１６Ａａ）と平行に備えられていることを特徴とするレンズ鏡筒（１０）である。
請求項３に記載の発明は、請求項２に記載されたレンズ鏡筒（１０）であって、前記第１面（１６Ａａ）及び前記第２面（４４Ｃｄ）は、前記光軸（ＯＡ）と略直交する方向に備えられていることを特徴とするレンズ鏡筒（１０）である。
請求項４に記載の発明は、請求項１から請求項３のいずれか１項に記載されたレンズ鏡筒（１０）であって、前記バリア羽根（５０）が開いた状態において、前記第１面（１６Ａａ）は、前記第２面（４４Ｃｄ）よりも像側の位置から、前記第２面（４４Ｃｄ）よりも物体側の位置に移動可能であることを特徴とするレンズ鏡筒（１０）である。
請求項５に記載の発明は、請求項１から請求項４のいずれか１項に記載されたレンズ鏡筒（１０）であって、撮影状態において、前記光学系保持枠（１６）の前記光学系（Ｌ１）は、前記バリア羽根（５０）よりも物体側の位置に移動可能であることを特徴とするレンズ鏡筒（１０）である。
請求項６に記載の発明は、請求項１から請求項５のいずれか１項に記載されたレンズ鏡筒（１０）であって、前記第２面（４４Ｃｄ）は、前記連動板（４４）に間隔を隔てて複数個所備えられていることを特徴とするレンズ鏡筒（１０）である。
請求項７に記載の発明は、請求項１から請求項６のいずれか１項に記載されたレンズ鏡筒（１０）であって、前記バリア羽根（５０）と前記連動板（４４）との光軸（ＯＡ）方向の位置を規定するバリア筒（１５）と、前記バリア筒（１５）を案内する第１カム溝（１７Ｂ）、及び、前記光学系保持枠（１６）を案内する第２カム溝（１７Ｃ）を有するカム筒（１７）とを備えることを特徴とするレンズ鏡筒（１０）である。
請求項８に記載の発明は、請求項７に記載されたレンズ鏡筒（１０）であって、収納状態と撮影状態との間における、前記バリア筒（１５）の光軸（ＯＡ）方向の移動量は、前記光学系保持枠（１６）の光軸（ＯＡ）方向の移動量よりも少ないことを特徴とするレンズ鏡筒（１０）である。
請求項９に記載の発明は、請求項７又は請求項８に記載のレンズ鏡筒（１０）であって、前記カム筒（１７）は前記光軸（ＯＡ）と平行な第３面（１７Ｅ）を有し、前記連動板（４４）は前記光軸（ＯＡ）と平行な第４面（４４Ｃｂ）を有し、前記カム筒（１７）の回転によって前記第３面（１７Ｅ）が前記第４面（４４Ｃｂ）を押圧することにより、前記バリア羽根（５０）が開放することを特徴とするレンズ鏡筒（１０）である。
請求項１０に記載の発明は、請求項１から請求項９のいずれか１項に記載されたレンズ鏡筒（１０）を備える光学装置（１）である。
なお、符号を付して説明した構成は、適宜改良してもよく、また、少なくとも一部を他の構成物に代替してもよい。
【発明の効果】
【０００８】
本発明によれば、バリア羽根とレンズとの接触が防止されたレンズ鏡筒及びカメラを提供することができる。
【図面の簡単な説明】
【０００９】
【図１】撮影待機状態のカメラの縦断面を概念的に示す図である。
【図２】レンズ鏡筒が沈胴状態にあるカメラの縦断面を概念的に示す図である。
【図３】レンズ鏡筒における前面側部分の分解斜視図である。
【図４】図３のＤ部拡大図である。
【図５】カム筒におけるバリア筒ヘリコイド溝およびレンズ室駆動カム溝を説明するカム筒周面の展開図である。
【図６】カム筒におけるバリア筒ヘリコイド溝およびレンズ室駆動カム溝の作用と、連動板による一群レンズ室の移動規制を説明する図であって、（ａ）は撮影待機状態を、（ｂ）はロック状態を、（ｃ）は沈胴状態を、それぞれ示す。
【図７】バリア枠とバリア羽根の分解斜視図である。
【図８】バリア羽根を結像面側から見た斜視図である。
【図９】バリア羽根を被写体側から見た図である。
【図１０】図３のＡ−Ａ矢視に相当するバリア羽根が開放状態の断面図である。
【図１１】図３のＢ−Ｂ矢視に相当するバリア羽根が開放状態の断面図である。
【図１２】図１１と対応するバリア羽根が閉鎖状態の図である。
【図１３】図３のＣ−Ｃ矢視に相当する連動板とバリア羽根とが組み合わされた状態の図であって、（ａ）はバリア羽根が開放状態を、（ｂ）はバリア羽根が閉鎖状態を、それぞれ示す。
【図１４】移動規制部と規制面の変形形態を示す図５と対応する図である。
【発明を実施するための形態】
【００１０】
以下、図面を参照して、本発明の一実施形態について説明する。
図１は、撮影待機状態のカメラ１の縦断面を概念的に示す図である。図２は、レンズ鏡筒１０が沈胴状態（レンズ鏡筒がカメラ本体に収納された状態、縮筒状態）にあるカメラ１の縦断面を概念的に示す図である。
【００１１】
なお、各図には、説明と理解を容易にするために、ＸＹＺ直交座標系を設けた。この座標系では、撮影者が光軸ＯＡを水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
また、以下の説明では、特に言及しない限り、撮影光学系における固定光学系の光軸ＯＡと平行な方向の移動を「直進」、光軸ＯＡ周りの移動を「回転」と称する。また、撮影光学系の光軸ＯＡと平行な方向を「前後」とし、被写体側を「前面側」、結像面（撮像面）側を「背面側」とそれぞれ称する。
【００１２】
カメラ１は、ボディ部２とレンズ鏡筒１０とから構成されたデジタルカメラある。
レンズ鏡筒１０は、不使用時にはボディ部２に収納され、使用時にはボディ部２から突出すると共に焦点距離を変化（ズーミング）させることのできる、いわゆる沈胴式のズームレンズである。つまり、レンズ鏡筒１０は、電力供給が停止している非影状態においては図２に示すようにボディ部２の内部に収縮収容され、電力が供給されると図１に示すようにボディ部２の前面側に突出して撮影待機状態となる。本実施形態の構成では、撮影待機状態はズームにおける広角端に設定されている。
【００１３】
ボディ部２は、ボディ筐体２Ａの内部にセンサユニット３を備えている。
センサユニット３は、ＣＣＤ等の撮像素子３Ａを備えている。センサユニット３は、撮像素子３Ａの撮像面がレンズ鏡筒１０の光軸ＯＡと直交する姿勢で、ＣＣＤ台４に固定されている。撮像面は、所定縦横比の横長（Ｙ軸方向の長さよりＸ軸方向の長さが長い）に設定されている。センサユニット３は、レンズ鏡筒１０によって撮像素子３Ａの撮像面に結像された画像を電気信号に変換して出力する。
【００１４】
レンズ鏡筒１０は、前述したように、焦点距離が可変なズームレンズである。レンズ鏡筒１０は、当該カメラ１における結像光学系を構成する３組のレンズ群（第１レンズ群Ｌ１，第２レンズ群Ｌ２および第３レンズ群Ｌ３）を備えている。これら３組のレンズ群は、被写体像をセンサユニット３における撮像素子３Ａの撮像面に結像させる。レンズ鏡筒１０は、レンズ群Ｌ１，Ｌ２，Ｌ３がそれぞれ光軸ＯＡ方向に移動して、焦点距離が変化する。また、第３レンズ群Ｌ３は、フォーカシングレンズ群であって、光軸ＯＡ方向に移動して結像位置を変化させる。
【００１５】
そして、カメラ１は、レンズ鏡筒１０が備えるレンズ群（第１レンズ群Ｌ１，第２レンズ群Ｌ２および第３レンズ群Ｌ３）が被写体像光をセンサユニット３における撮像素子３Ａの受光面に結像させ、撮影者による図示しないレリーズボタンの押圧操作によって、センサユニット３が電気信号に変換した被写体の画像情報を、図示しない記憶装置に記録（撮影）する。これら撮影を含むカメラ１における全ての動作制御は、図示しないカメラ１内の制御装置によって行われる。
【００１６】
つぎに、前述した図１および図２に加えて図３〜図７を参照し、レンズ鏡筒１０について詳細に説明する。図３は、バリア筒１５、１群レンズ室１６、カム筒１７およびバリア機構４０部分の分解斜視図である。図４は、図３のＤ部拡大図である。図５は、カム筒１７におけるバリア筒ヘリコイド溝１７Ｂとレンズ室駆動カム溝１７Ｃを説明するカム筒１７周面の展開図である。図６は、カム筒１７におけるバリア筒ヘリコイド溝１７Ｂおよびレンズ室駆動カム溝１７Ｃの作用とバリア機構４０における連動板４４による一群レンズ室１６の移動規制を説明する図であって、（ａ）は撮影待機状態を、（ｂ）はロック状態を、（ｃ）は沈胴状態を、それぞれ示す。
【００１７】
図１及び２に示すように、レンズ鏡筒１０は、ボディ筐体２Ａと一体に構成された固定筒１１の内部に、回転筒１２、直進筒１３、１群直進筒１４、バリア筒１５が、順次Ｙ方向に小径化して多段式に配設されている。バリア筒１５の内周側には１群レンズ室１６が嵌合し、１群レンズ室１６の内周側にカム筒１７が配設されている。さらに、１群レンズ室１６の内周側に第２レンズ枠１８が配設され、第２レンズ枠１８の背面側にシャッター機構２０と、第３レンズ枠３０とが配設されている。バリア筒１５の前面側には、開閉するバリア羽根５０を有し、当該バリア筒１５を含めて構成されるバリア機構４０が設けられている。
【００１８】
そして、レンズ鏡筒１０は、図１に示すように固定筒１１から回転筒１２（直進筒１３）および１群直進筒１４が所定量突出した撮影待機状態と、図２に示すように回転筒１２および１群直進筒１４がほとんど固定筒１１に収容された沈胴状態と、の間で収縮／伸長する。なお、図１に示す撮影待機状態は、ズーム範囲において最も広角側（焦点距離が短い側の端）であって、この状態から各レンズ群Ｌ１，Ｌ２，Ｌ３が光軸ＯＡ方向にさらに移動して長焦点側へズーミングするようになっている。
【００１９】
以下、レンズ鏡筒１０における各構成要素を、順を追って説明する。
固定筒１１は、光軸ＯＡ方向に所定長さの円筒状を呈しており、ボディ筐体２Ａと一体に構成されている。
固定筒１１の内周面には、回転筒１２を移動駆動する回転筒駆動ヘリコイド溝１１Ａと、直進筒１３の移動を案内する直進溝１１Ｂとが形成されている。直進溝１１Ｂと回転筒駆動ヘリコイド溝１１Ａとは、本実施形態では、例えば、それぞれ周方向に３条ずつ形成されている。
【００２０】
回転筒駆動ヘリコイド溝１１Ａは、光軸ＯＡに対して所定の角度を有して（周方向において光軸ＯＡ方向の位置が変位する螺旋状に）形成されている。この回転筒駆動ヘリコイド溝１１Ａには、回転筒１２の外周に突設された駆動ピン１２Ａが摺動移動可能に嵌合している。
直進溝１１Ｂは、光軸ＯＡと平行に（Ｚ軸方向に）形成されている。この直進溝１１Ｂには、後述する直進筒１３における直進案内突起１３Ｃが、摺動移動可能に嵌合している。
【００２１】
固定筒１１の内周側には、回転筒１２が配設されている。
回転筒１２は、固定筒１１の内周に摺動移動可能に嵌合する円筒状であって、光軸ＯＡ方向に所定長さに形成されている。
回転筒１２の外周には、回転筒駆動ヘリコイド溝１１Ａに摺動移動可能に嵌合する駆動ピン１２Ａが突設されている。
回転筒１２の背面側端部の外周には、駆動入力ギア１２Ｂが形成されており、この駆動入力ギア１２Ｂは、図示しないが沈胴・ズーム駆動モータとギアトレインを介して連繋している。これにより、回転筒１２は、沈胴・ズーム駆動モータによって回転駆動されるようになっている。
【００２２】
また、回転筒１２の内周面には、カム筒１７を移動操作すると共にその移動を案内する直進連動溝１２Ｃが形成されている。
直進連動溝１２Ｃは、光軸ＯＡと平行に形成されている。直進連動溝１２Ｃには、後述するカム筒１７に植設されたフォロアピン１７Ａが摺動移動可能に嵌合している。
上記のように構成された回転筒１２は、図示しない沈胴・ズーム駆動モータによって回転駆動されると、その駆動ピン１２Ａが嵌合する固定筒１１回転筒駆動ヘリコイド溝１１Ａによって直進操作される。つまり、回転筒１２は、回転しつつ直進移動するようになっている。
【００２３】
回転筒１２の内周側には、直進筒１３が配設されている。
直進筒１３は、回転筒１２の内周に摺動移動可能に嵌合する円筒状であって、光軸ＯＡ方向に所定長さに形成され、回転筒１２に対して相対回転可能且つ直進方向には相対移動不能に構成されている。
直進筒１３の内周には、直進溝１３Ａが光軸ＯＡと平行に形成されている。この直進溝１３Ａには、後述する１群直進筒１４の外周に突設された直進ガイド１４Ａが摺動移動可能に嵌合している。
【００２４】
また、直進筒１３には、カム孔１３Ｂが形成されている。カム孔１３Ｂは、光軸ＯＡに対して所定の角度を有して形成されており、当該直進筒１３を径方向内外に貫通している。カム孔１３Ｂには、後述するカム筒１７のフォロアピン１７Ａが摺動移動可能に嵌合している。
さらに、直進筒１３の背面側の端部には、直進案内突起１３Ｃが外周側に突設されている。直進案内突起１３Ｃは、固定筒１１の直進溝１１Ｂに摺動移動可能に嵌合している。
上記のように構成された直進筒１３は、その直進案内突起１３Ｃが固定筒１１の直進溝１１Ｂ嵌合しているため、回転筒１２が回転しつつ直進移動するのに伴って、回転することなく回転筒１２と共に直進移動する。
【００２５】
直進筒１３の内周側には、１群直進筒１４が配設されている。
１群直進筒１４は、直進筒１３の内周に摺動移動可能に嵌合する円筒状であって、光軸ＯＡ方向に所定長さに形成されている。
１群直進筒１４の外周には、直進ガイド１４Ａが形成されている。直進ガイド１４Ａは、直進筒１３の直進溝１３Ａに摺動移動可能に嵌合している。
【００２６】
１群直進筒１４の内周には、直進ガイド溝１４Ｂが形成されている。直進ガイド溝１４Ｂは、光軸ＯＡと平行に形成されており、この直進ガイド溝１４Ｂには、後述するバリア筒１５の外周に突設されたガイド突起１５Ａが摺動移動可能に嵌合している。
また、１群直進筒１４は、その背面側の端部において、後述するカム筒１７と、光軸ＯＡ方向には移動不能且つ相対回転は可能に係合している。
上記のように構成された１群直進筒１４は、後述するカム筒１７に対して相対回転可能且つ光軸ＯＡ方向には移動不能に設けられており、その直進ガイド１４Ａが直進筒１３の直進溝１３Ａに嵌合しているため、回転することなくカム筒１７と共に直進移動する。
【００２７】
１群直進筒１４の内周には、バリア筒１５が配設されている。
バリア筒１５は、１群直進筒１４の内周に摺動移動可能に嵌合する円筒状であって、光軸ＯＡ方向に所定長さに形成されている。バリア筒１５は、前述したように、開閉するバリア羽根を備えたバリア機構４０の一部を構成している。
【００２８】
バリア筒１５の外周には、ガイド突起１５Ａが突設されている。ガイド突起１５Ａは、１群直進筒１４の直進ガイド溝１４Ｂに摺動移動可能に嵌合している。
バリア筒１５の内周には、レンズ案内溝１５Ｂが光軸ＯＡと平行に形成されている。このレンズ案内溝１５Ｂには、後述する１群レンズ室１６の外周に形成されたガイド突条１６Ｂが摺動移動可能に嵌合している。
【００２９】
また、バリア筒１５の内周背面側端部近傍には、被駆動キー１５Ｃが突設されている。この被駆動キー１５Ｃは、後述するカム筒１７の外周に形成されたバリア筒ヘリコイド溝１７Ｂに摺動移動可能に嵌合している。
【００３０】
上記のように構成されたバリア筒１５は、そのガイド突起１５Ａが１群直進筒１４の直進ガイド溝１４Ｂに嵌合しているため、回転することなく、その被駆動キー１５Ｃが嵌合するカム筒１７のバリア筒ヘリコイド溝１７Ｂによって操作され、カム筒１７の回転に伴って直進移動する。
なお、このバリア筒１５を含むバリア機構４０については、後に詳述する。
【００３１】
バリア筒１５の内周側には、１群レンズ室１６が配設されている。
１群レンズ室１６は、バリア筒１５の内周に摺動移動可能に嵌合する円筒状であって、光軸ＯＡ方向に所定長さに形成されている。１群レンズ室１６は、その前面側の内周側に突設された鍔状の支持部１６Ａによって第１レンズ群Ｌ１を支持している。
【００３２】
図４に示すように、支持部１６Ａには、後述するバリア機構４０における連動板４４の被操作・規制突起４４Ｃが遊嵌する嵌挿孔１６Ｄが、周方向に等間隔で３箇所（１２０°間隔で）形成されている。嵌挿孔１６Ｄは、周方向に所定角度範囲の長孔となっている。支持部１６Ａの、前面側から見て嵌挿孔１６Ｄの反時計回り前方側の縁と隣接する部位は、光軸ＯＡと直交する平面の移動規制部１６Ａａとなっている。移動規制部１６Ａａの位置は、後述するバリア機構４０における連動板４４のレンズ規制突起部４４Ｃｃの規制面４４Ｃｄが、沈胴状態においては移動規制部１６Ａａに対向し、撮影待機時においては嵌挿孔１６Ｄと対向するように設定されている。この移動規制部１６Ａａは、バリア羽根５０の開放不具合発生時において後述するバリア機構４０における連動板４４の被操作・規制突起４４Ｃ（レンズ規制突起部４４Ｃｃ）と協働してバリア羽根５０への第１レンズ群Ｌ１の当接を防ぐ。この作用については後に詳述する。
【００３３】
１群レンズ室１６の外周には、ガイド突条１６Ｂが光軸ＯＡと平行に突設されている。このガイド突条１６Ｂは、バリア筒１５のレンズ案内溝１５Ｂに摺動移動可能に嵌合している。
１群レンズ室１６の内周には、カムフォロア１６Ｃが突設されている。このカムフォロア１６Ｃは、後述するカム筒１７の外周に形成されたレンズ室駆動カム溝１７Ｃに摺動移動可能に嵌合している。
【００３４】
上記のように構成された１群レンズ室１６は、そのカムフォロア１６Ｃがカム筒１７のレンズ室駆動カム溝１７Ｃによって操作され、ガイド突条１６Ｂがバリア筒１５のレンズ案内溝１５Ｂに嵌合しているために回転することなくカム筒１７の回転に伴って直進移動する。
【００３５】
ここで、１群レンズ室１６に支持された第１レンズ群Ｌ１を前面側から見ると、第１レンズ群Ｌ１の前面部は、前述したセンサユニット３の撮像素子３Ａにおける所定縦横比で横長の撮像面と対応して、第１レンズ群Ｌ１の上部と下部とがカットされた形状である（図４参照）。つまり、第１レンズ群Ｌ１の上下（Ｙ軸方向両側）の縁は平行な直線状に形成され、第１レンズ群Ｌ１の左右（Ｘ軸方向両側）の縁は円弧状となっている（以下、この形状を樽形と呼ぶ）。また、所定ＸＹ平面における上述の樽形は、その所定ＸＹ平面上のＸ軸と平行かつ光軸ＯＡと交わる直線を基準として対称形状である。この第１レンズ群Ｌ１における前面部の上下のカットは、当該第１レンズ群Ｌ１の上下に後述するバリア機構４０におけるバリア羽根５０を収容するための空間を形成するために行われている。
【００３６】
１群レンズ室１６の内周側には、カム筒１７が配設されている。
カム筒１７は、１群レンズ室１６の内周に摺動移動可能に嵌合する円筒状であって、光軸ＯＡ方向に所定長さに形成されている。
カム筒１７の背面側端部近傍の外周には、フォロアピン１７Ａが突設されている。フォロアピン１７Ａは、直進筒１３のカム孔１３Ｂに摺動移動可能に嵌合してこれを貫通し、その先端が回転筒１２の直進連動溝１２Ｃに摺動移動可能に嵌合している。
【００３７】
また、カム筒１７の外周には、カム筒１７の外周面を展開して表した図５および図６に示すように、バリア筒ヘリコイド溝１７Ｂと、レンズ室駆動カム溝１７Ｃとが形成されている。バリア筒ヘリコイド溝１７Ｂとレンズ室駆動カム溝１７Ｃとは、本実施形態では、周方向にそれぞれ３条形成されている。バリア筒ヘリコイド溝１７Ｂには、バリア筒１５の被駆動キー１５Ｃが摺動移動可能に嵌合しており、レンズ室駆動カム溝１７Ｃには、１群レンズ室１６のカムフォロア１６Ｃが摺動移動可能に嵌合している。なお、バリア筒ヘリコイド溝１７Ｂとレンズ室駆動カム溝１７Ｃについては、後に詳述する。
【００３８】
さらに、カム筒１７の内周には、第２レンズ枠駆動カム溝１７Ｄが形成されている。第２レンズ枠駆動カム溝１７Ｄは、光軸ＯＡに対して所定の角度を有して形成されており、後述する第２レンズ枠１８の外周に突設された第２レンズ枠カムフォロア１８Ａが摺動移動可能に嵌合している。
また、カム筒１７の前面縁には、バリア操作面１７Ｅが形成されている。バリア操作面１７Ｅは、前面側から見て反時計回り前方側に向かう面であって、周方向に等間隔で３箇所（１２０°間隔で）形成されている。このバリア操作面１７Ｅは、後述するバリア機構４０における連動板４４の被操作・規制突起４４Ｃに当接して連動板４４を回動操作する。
【００３９】
カム筒１７は、回転筒１２の回転によって、そのフォロアピン１７Ａが回転筒１２の直進連動溝１２Ｃによって回転操作されると共に、直進筒１３のカム孔１３Ｂによって直進操作される。つまり、カム筒１７は、回転筒１２の回転に伴って、回転しつつ直進移動する。
【００４０】
カム筒１７は、その回転・直進移動により、バリア筒ヘリコイド溝１７Ｂに嵌合した被駆動キー１５Ｃを介してバリア筒１５を移動操作し、また、レンズ室駆動カム溝１７Ｃに嵌合したカムフォロア１６Ｃを介して１群レンズ室１６を移動操作し、さらに、第２レンズ枠駆動カム溝１７Ｄに嵌合した第２レンズ枠カムフォロア１８Ａを介して第２レンズ枠１８を移動操作する。
また、カム筒１７は、バリア操作面１７Ｅが後述するバリア機構４０における連動板４４の被操作・規制突起４４Ｃに当接して回動操作し、バリア機構４０におけるバリア羽根５０を開閉駆動操作する。
【００４１】
カム筒１７の内周側には、第２レンズ枠１８が配設されている。
第２レンズ枠１８は、カム筒１７の内周に摺動移動可能に嵌合する円筒状であって、光軸ＯＡ方向に所定長さに形成され、その内周に、第２レンズ群Ｌ２を保持している。
第２レンズ枠１８の外周には、第２レンズ枠カムフォロア１８Ａが突設されている。この第２レンズ枠カムフォロア１８Ａは、カム筒１７の第２レンズ枠駆動カム溝１７Ｄに摺動移動可能に嵌合している。
また、第２レンズ枠１８の外周には、直進案内溝１８Ｂが形成されている。この直進案内溝１８Ｂには、後述する直進キー１９のキー部１９Ｂが摺動移動可能に嵌合している。
【００４２】
上記のように構成された第２レンズ枠１８は、その第２レンズ枠カムフォロア１８Ａがカム筒１７の第２レンズ枠駆動カム溝１７Ｄによって操作され、直進案内溝１８Ｂに直進キー１９が嵌合していることから回転することなくカム筒１７の回転に伴って直進移動する。
【００４３】
直進キー１９は、直進嵌合部１９Ａと、前面側に延設されたキー部１９Ｂとを備えている。直進嵌合部１９Ａは、直進筒１３に設けられた直進キー溝１３Ｄ摺動移動可能に嵌合している。また、キー部１９Ｂは、上述のように第２レンズ枠８の直進案内溝１８Ｂに摺動移動可能に嵌合している。また、カム筒１７に植設されたフォロアピン１７Ａの内径側には、カム側バヨネット凹部１７Ｅが設けられ、一方、直進キー１９にはそのカム側バヨネット凹部１７Ｅとバヨネット結合するキー側凸部１９Ｅが設けられている。そして、カム側バヨネット凹部１７Ｅとキー側凸部１９Ｅとはバヨネット結合している。このため、直進キー１９はカム筒１７とともに光軸方向に移動するが、直進キー溝１３Ｄと直進嵌合部１９Ａとの嵌合により回転が防止されている。そして、第２レンズ枠１８は、その第２レンズ枠カムフォロア１８Ａがカム筒１７の第２レンズ枠駆動カム溝１７Ｄによって操作され、直進案内溝１８Ｂに直進キー１９が嵌合しているので、回転することなくカム筒１７の回転に伴って直進移動する。
【００４４】
上記のように構成されたレンズ鏡筒１０は、図示しない沈胴・ズーム駆動モータによって回転筒１２が回転駆動されると、回転筒１２は、その駆動ピン１２Ａが嵌合する固定筒１１回転筒駆動ヘリコイド溝１１Ａによって直進操作される。つまり、回転筒１２は、回転しつつ直進移動する。
直進筒１３は、その直進案内突起１３Ｃが固定筒１１の直進溝１１Ｂ嵌合しているため、回転することなく回転筒１２と共に直進移動する。
【００４５】
また、回転筒１２の回転によって、カム筒１７は、そのフォロアピン１７Ａが回転筒１２の直進連動溝１２Ｃによって回転操作されると共に、直進筒１３のカム孔１３Ｂによって直進操作される。つまり、カム筒１７は、回転筒１２の回転に伴って、回転しつつ直進移動する。
【００４６】
１群直進筒１４は、カム筒１７に対して相対回転可能且つ光軸方向には移動不能に設けられており、その直進ガイド１４Ａが直進筒１３の直進溝１３Ａに嵌合しているため、回転することなくカム筒１７と共に直進移動する。
バリア筒１５は、そのガイド突起１５Ａが１群直進筒１４の直進ガイド溝１４Ｂに嵌合しているため、回転することなく、その被駆動キー１５Ｃが嵌合するカム筒１７のバリア筒ヘリコイド溝１７Ｂによって操作され、カム筒１７の回転に伴って直進移動する。
【００４７】
１群レンズ室１６は、そのカムフォロア１６Ｃがカム筒１７のレンズ室駆動カム溝１７Ｃによって操作され、ガイド突条１６Ｂがバリア筒１５のレンズ案内溝１５Ｂに嵌合しているために回転することなくカム筒１７の回転に伴って直進移動する。
第２レンズ枠１８は、その第２レンズ枠カムフォロア１８Ａがカム筒１７の第２レンズ枠駆動カム溝１７Ｄによって操作され、直進案内溝１８Ｂに直進キー１９が嵌合していることから回転することなくカム筒１７の回転に伴って直進移動する。
【００４８】
上記のような作用によって、レンズ鏡筒１０は、図１に示すように固定筒１１から回転筒１２（直進筒１３）および１群直進筒１４が所定量突出した撮影待機状態と、図２に示すように回転筒１２および１群直進筒１４がほとんど固定筒１１に収容された沈胴状態と、の間で収縮／伸長する。また、前述したように、図１に示す撮影待機状態から、各レンズ群Ｌ１，Ｌ２，Ｌ３が光軸ＯＡ方向にさらに移動して長焦点側へズーミングするようになっている。
【００４９】
図１に示す撮影待機状態では、回転筒１２（直進筒１３）は固定筒１１から所定量突出し、さらに、１群直進筒１４は回転筒１２から所定量突出する。また、バリア筒１５の前面側に設けられた後述するバリア機構４０の前面は、１群直進筒１４の前面と略一致し、バリア羽根５０は開放状態となる。
図２に示す沈胴状態では、回転筒１２（直進筒１３）と１群直進筒１４の前面は一致した状態で固定筒１１の前面から所定量突出する。また、バリア機構４０の前面もこれらと略一致し、バリア羽根５０は閉鎖状態となる。
【００５０】
ここで、バリア筒１５と１群レンズ室１６とは、それぞれカム筒１７によって移動駆動されるが、撮影待機状態と沈胴状態との間における両者の移動量は異なり、１群レンズ室１６の方がバリア筒１５より大きく移動する。つまり、１群レンズ室１６が保持する第１レンズ群Ｌ１は、撮影待機状態と沈胴状態との間でバリア筒１５に設けられたバリア羽根５０に対して前後に相対移動する。
【００５１】
そして、図１に示す撮影待機状態では、１群レンズ室１６が保持する第１レンズ群Ｌ１の前面が、バリア機構４０における開放状態にあるバリア羽根５０の内羽根（内上羽根５２Ｕ，内下羽根５２Ｌ）より前面側に突出する。一方、図２に示す沈胴状態では、第１レンズ群Ｌ１の前面はバリア羽根５０の内羽根（内上羽根５２Ｕ，内下羽根５２Ｌ）より背面側に位置する。
これにより、撮影待機状態においては、第１レンズ群Ｌ１の前面がバリア羽根５０よりも前面側に突出して広い写角が得られると共に、沈胴状態においてバリア羽根５０の閉鎖が可能となっている。
【００５２】
このようなバリア筒１５と１群レンズ室１６の移動は、前述したように、バリア筒ヘリコイド溝１７Ｂとレンズ室駆動カム溝１７Ｃによって規定される。
つぎに、このバリア筒ヘリコイド溝１７Ｂとレンズ室駆動カム溝１７Ｃについて、図５および図６を参照して詳細に説明する。
【００５３】
バリア筒ヘリコイド溝１７Ｂは、光軸ＯＡと直交する前進駆動方向（図５および図６におけるカム筒１７の伸長回転方向を示す矢印Ｅとは逆方向）に延びる沈胴伸縮操作部１７Ｂａと、この沈胴伸縮操作部１７Ｂａと連続して光軸ＯＡに対して所定の角度を有して前面側に延びる伸長操作部１７Ｂｂと、を備えている。
このバリア筒ヘリコイド溝１７Ｂには、バリア筒１５の被駆動キー１５Ｃが摺動移動可能に嵌合している。被駆動キー１５Ｃは、図６（ｃ）に示す沈胴状態から図６（ａ）に示す撮影待機状態との間では沈胴伸縮操作部１７Ｂａを移動し、さらに撮影待機状態より先のズーミングの際に伸長操作部１７Ｂｂを移動するように設定されている。つまり、バリア筒１５は、沈胴状態から撮影待機状態の間では、カム筒１７と共に前進移動するものの、カム筒１７に対して前進移動はしない。撮影待機状態では、被駆動キー１５Ｃは、図５および図６（ａ）に示すように、沈胴伸縮操作部１７Ｂａから伸長操作部１７Ｂｂに転向する部位に位置する。
【００５４】
レンズ室駆動カム溝１７Ｃは、光軸ＯＡと直交する前進駆動方向に延びる沈胴基部１７Ｃａと、沈胴基部１７Ｃａと連続してバリア筒ヘリコイド溝１７Ｂにおける伸長操作部１７Ｂｂと平行に前面側に延びる沈胴伸長操作部１７Ｃｂと、この沈胴伸長操作部１７Ｃｂの先端と連続して光軸ＯＡと直交する方向に延びる待機基部１７Ｃｃと、この待機基部１７Ｃｃから連続してバリア筒ヘリコイド溝１７Ｂにおける伸長操作部１７Ｂｂと平行に前面側に延びるズーミング操作部１７Ｃｄと、を備えている。ズーミング操作部１７Ｃｄと伸長操作部１７Ｂｂとの間隔は、待機基部１７Ｃｃの長さ分、沈胴伸長操作部１７Ｃｂと伸長操作部１７Ｂｂとの間隔より広くなっている。
【００５５】
レンズ室駆動カム溝１７Ｃには、１群レンズ室１６のカムフォロア１６Ｃが摺動移動可能に嵌合している。カムフォロア１６Ｃは、図６（ｃ）に示す沈胴状態から図６（ａ）に示す撮影待機状態との間では沈胴基部１７Ｃａから沈胴伸長操作部１７Ｃｂを移動し、撮影待機状態では待機基部１７Ｃｃに位置する。さらに撮影待機状態より先のズーミングの際には、カムフォロア１６Ｃは、ズーミング操作部１７Ｃｄを移動するように設定されている。
つまり、カムフォロア１６Ｃは、沈胴状態から撮影待機状態に至るまでに沈胴伸長操作部１７Ｃｂを移動するため、この沈胴伸長操作部１７ＣｂのＸ軸方向における変位分（図５中Ｘｃで示す）、前面側に直進移動操作される。これにより、１群レンズ室１６（第１レンズ群Ｌ１）は、沈胴状態から撮影待機状態の間で、カム筒１７およびバリア筒１５に対して前進移動する。
【００５６】
上記のように、沈胴状態から撮影待機状態に至るカム筒１７の回転によって、バリア筒１５はカム筒１７に対して直進移動しないが、１群レンズ室１６は沈胴伸長操作部１７Ｃｂによって直進移動操作される。これにより、１群レンズ室１６はバリア筒１５に対して前進する。その結果、前述したように、図２に示す沈胴状態では、１群レンズ室１６が保持する第１レンズ群Ｌ１の前面はバリア羽根５０の内羽根（内上羽根５２Ｕ，内下羽根５２Ｌ）より背面側に位置し、図１に示す撮影待機状態では、第１レンズ群Ｌ１の前面が開放状態にあるバリア機構４０におけるバリア羽根５０の内羽根（内上羽根５２Ｕ，内下羽根５２Ｌ）より前面側に突出するようになっている。
【００５７】
つぎに、前述した図１〜図６に加えて、図７〜図１３を参照して、バリア機構４０について詳細に説明する。
図７は、バリア枠４１とバリア羽根５０の分解図である。図８は外羽根５１と、内羽根５２を結像面側から見た斜視図であり、図９は外羽根５１と、内羽根５２を被写体側から見た図である。図１０は、図３のＡ−Ａ矢視に相当するバリア羽根５０が開放状態の断面図である。図１１は、図３のＢ−Ｂ矢視に相当するバリア羽根５０が開放状態の断面図である。図１２は、図１１と対応するバリア羽根５０が閉鎖状態の図である。図１３は、図３のＣ−Ｃ矢視に相当する連動板４４とバリア羽根５０とが組み合わされた状態の図であって、（ａ）はバリア羽根５０が開放状態を、（ｂ）はバリア羽根５０が閉鎖状態を、それぞれ示す。
【００５８】
バリア機構４０は、図３に示すように、バリア筒１５の前面側にバリア枠４１が装着され、そのバリア筒１５とバリア枠４１の間に、バリア羽根５０と、シート４２と、バリア押さえ板４３と、連動板４４とが、重合状態で配置されて構成されている。また、バリア枠４１の前面側には、飾り環４５が被せられている。
【００５９】
バリア筒１５の前面側にはスナップフィット部１５Ｄが突出形成されており、このスナップフィット部１５Ｄがバリア枠４１の外周の係合部４１Ｄに係合することで、バリア筒１５の前面側にバリア枠４１が装着一体化されている。
バリア筒１５の内周側には、前述したように、１群レンズ室１６が配設され、１群レンズ室１６の内周側にカム筒１７が配設されている。
また、カム筒１７の前面側所定位置には、前述したように、バリア操作面１７Ｅが形成されている。
【００６０】
バリア枠４１は、図７に示すように、前面側に前面板４１Ａを備える円環状であって、光軸ＯＡ方向には所定厚さを有している。前面板４１Ａには、第１レンズ群Ｌ１の前面形状と対応する（僅かに小さい）樽形の開口部４１Ｂが形成されている。また、バリア枠４１の背面側には、後述する連動板４４を回転付勢するための回転付勢バネ４６の端部が係止される係止部４１Ｃが突設されている。係止部４１Ｃは、光軸ＯＡを挟む対称位置に２箇所配設されている。
【００６１】
バリア羽根５０は、外上羽根５１Ｕと、外下羽根５１Ｌと、内上羽根５２Ｕと、内下羽根５２Ｌとにより構成されている。外上羽根５１Ｕと外下羽根５１Ｌとは光軸ＯＡを挟んで点対称となる形状に形成され、内上羽根５２Ｕと内下羽根５２Ｌとは光軸ＯＡを挟んで点対称となる形状に形成されているため、以下の説明では、特に必要がある場合を除いて、外上羽根５１Ｕと外下羽根５１Ｌとを「外羽根５１」とし、内上羽根５２Ｕと内下羽根５２Ｌとを「内羽根５２」として説明する。また、外上羽根５１Ｕと内上羽根５２Ｕとを支持する羽根支持軸４１Ｄａ及び、外下羽根５１Ｌと内下羽根５２Ｌとを支持する羽根支持軸４１Ｄｂも、特に必要がある場合を除いて合わせて羽根支持部４１Ｄとして説明する。
【００６２】
外羽根５１は、図７に示すようにバリア枠４１の前面板４１Ａの背面側に隣接して配置されている。そして、図８及び図９に示すように外羽根５１の周方向一方の端には、バリア枠４１の羽根支持軸４１Ｄに嵌合する穴５１ａが設けられている。この穴５１ａの外周側には、操作突起５１ｂが形成されている。また、外羽根５１の外側の縁の周方向略中央部背面側には、内羽根５２によって操作される被操作突起５１ｄが突設されている。
【００６３】
内羽根５２は、図７に示すように外羽根５１の背面側に、隣接して配置されている。そして、図８及び図９に示すように内羽根５２の周方向一方の端には、バリア枠の羽根支持軸４１Ｄに嵌合する穴５２ａが設けられている。穴５２ａの外周側には、当該内羽根５２を揺動付勢する揺動付勢バネ４７の端部が係止される係止・操作突起５２ｂが、前後に所定量突出して形成されている。
【００６４】
図１０〜図１２に示すように、外上羽根５１Ｕと内上羽根５２Ｕとは、開口部４１ＢのＸ軸プラス側に位置する羽根支持軸４１Ｄａにそれぞれ揺動可能に支持されている。一方、外下羽根５１Ｌと内下羽根５２Ｌとは、開口部４１ＢのＸ軸マイナス側に位置する羽根支持軸４１Ｄｂにそれぞれ揺動可能に支持されている。そして、外上羽根５１Ｕと内上羽根５２Ｕとが羽根支持軸４１Ｄａを中心として揺動すると共に、外下羽根５１Ｌと内下羽根５２Ｌとが羽根支持軸４１Ｄｂを中心として揺動し、開口部４１Ｂを開閉する。
【００６５】
図１０および図１１に示すように、バリア羽根５０が、バリア枠４１の開口部４１Ｂを開放した状態（開放状態）では、外上羽根５１Ｕと内上羽根５２Ｕとが重なって、開口部４１Ｂの上側（Ｙ軸プラス側）の開口縁とバリア枠４１の外周面との間に収容される。また、外下羽根５１Ｌと内下羽根５２Ｌとが重なって、開口部４１Ｂの下側（Ｙ軸マイナス側）の開口縁とバリア枠４１の外周面との間に収容される。本実施形態では、このようにバリア羽根５０が開口部４１Ｂを開放した図１０，図１１および図１３（ａ）に示す開放状態が基本的な状態であり、この開放状態から連動板４４が操作されることで図１２および図１３（ｂ）に示す閉鎖状態となる。
【００６６】
バリア羽根５０が、バリア枠４１の開口部４１Ｂを閉鎖した状態（閉鎖状態）は、図１１に示すように、外上羽根５１Ｕと内上羽根５２Ｕとでバリア枠４１の開口部４１Ｂの略上半分を覆い、外下羽根５１Ｌと内下羽根５２Ｌとで開口部４１Ｂの略下半分を覆う。すなわち、内上羽根５２Ｕと内下羽根５２Ｌの内縁５２ｃが合致して開口部４１Ｂの中央を塞ぎ、内上羽根５２Ｕと内下羽根５２Ｌの外縁と開口部４１Ｂの縁との間の隙間を、外上羽根５１Ｕおよび外下羽根５１Ｌが塞ぎ、これによって開口部４１Ｂの全面を覆うようになっている。
【００６７】
内羽根５２の内側（光軸ＯＡ側）の内縁５２ｃは、図１に示すように撮影待機時において第１レンズ群Ｌ１における前面部の上下のカット辺より外側に位置し、当該内羽根５２と干渉することなく、第１レンズ群Ｌ１の前面を外羽根５１に近接させることができるように設定されている。
また、内羽根５２の外側の縁の周方向略中央部には、外羽根５１の被操作面５１ｄを操作する操作凹部５２ｄが形成されている。
【００６８】
バリア押さえ板４３は、薄板状であって、バリア枠４１と対応する形状に形成されている。バリア押さえ板４３には、略Ｘ軸上の光軸ＯＡを挟んで対称となる位置に、２箇所ビス穴が設けられている。その穴には図４に示すようにビス４３Ａが挿入され、そのビス４３Ａは、バリア枠４１に設けられたビス受け４１ｘ（図５，９，１０参照）に締結されている。
【００６９】
連動板４４は、バリア枠４１の内部に収まる略円環状であって、図１３に示すように、回転付勢バネ４６の端部が係止される係止ボス４４Ａと、バリア羽根５０（内羽根５２）を揺動付勢する揺動付勢バネ４７の端部が固定される固定ボス４４Ｂとを備えている。係止ボス４４Ａと固定ボス４４Ｂとは、それぞれ光軸ＯＡを挟む対称位置２箇所に配設されている。
【００７０】
また、連動板４４の背面側所定位置には、被操作・規制突起４４Ｃが周方向に等間隔（１２０°）で３箇所突設されている。
被操作・規制突起４４Ｃは、図４および図５に示すように、被操作突起部４４Ｃａと、レンズ規制突起部４４Ｃｃとを備えている。
【００７１】
被操作突起部４４Ｃａは、角柱状であって、連動板４４の背面側に所定高さに突出しており、連動板４４を背面側から見て反時計回り前方側の面が、被操作面４４Ｃｂとなっている。この被操作突起部４４Ｃａは、沈胴状態において、１群レンズ室１６における嵌挿孔１６Ｄに嵌入して背面側に突出して、その被操作面４４Ｃｂがカム筒１７のバリア操作面１７Ｅによって押圧操作される。
【００７２】
レンズ規制突起部４４Ｃｃは、被操作突起部４４Ｃａの基端部から、連動板４４を背面側から見て時計回り前方側所定範囲に、被操作突起部４４Ｃａより低い所定高さに形成され、その背面側に向かう光軸ＯＡと直交する面が、規制面４４Ｃｄとなっている。レンズ規制突起部４４Ｃｃは、沈胴状態（バリア羽根５０の閉鎖状態時）において、１群レンズ室１６における支持部１６Ａの移動規制部１６Ａａと対向して位置する。
このレンズ規制突起部４４Ｃｃは、バリア羽根５０の開放不具合発生時において１群レンズ室１６の移動規制部１６Ａａと協働してバリア羽根５０への第１レンズ群Ｌ１の当接を防ぐ。この作用については後に詳述する。
【００７３】
回転付勢バネ４６は、一方の端部がバリア枠４１の係止部４１Ｃに係止され、他方の端部が連動板４４の係止ボス４４Ａに係止されている。回転付勢バネ４６は、光軸ＯＡを挟んで対称位置に２箇所配設されている。回転付勢バネ４６は、その弾性復帰力によって、連動板４４をバリア枠４１に対して図１３中反時計回りに回転付勢している。
【００７４】
揺動付勢バネ４７は、一方の端部が連動板４４の固定ボス４４Ｂに固定され、他方の端部が内羽根５２の係止・操作突起５２ｂに係止されている。揺動付勢バネ４７は、２枚の内羽根５２（内上羽根５２Ｕおよび内下羽根５２Ｌ）に対して、それぞれ設けられている。つまり、揺動付勢バネ４７は、光軸ＯＡを挟む対称位置に２箇所配設されている。揺動付勢バネ４７は、その弾性復帰力によって、内羽根５２を閉じ側に揺動付勢している。
【００７５】
揺動付勢バネ４７によって閉じ側に揺動付勢された内羽根５２は、連動板４４の反時計回りの回転によって連動板４４の端面４４ｘが内羽根５２の係止・操作突起５２ｂを押し上げて内羽根５２が反時計回りに回転し、この回転によって操作凹部５２ｄが外羽根５１の被操作突起５１ｄを押圧し、外羽根５１を開放状態側に揺動操作する。
その操作凹部５２ｄで外羽根５１の被操作面５１ｂを押圧し、外羽根５１を開放状態側に揺動操作する。
これにより、外羽根５１と内羽根５２とが重なって、開口部４１Ｂの開口縁とバリア枠４１の外周面との間に収容された開放状態となる。
【００７６】
上記のように構成されたバリア機構４０では、連動板４４は回転付勢バネ４６の付勢力でその回転可能な範囲中の一方の端に位置（以下、これを連動板４４の自由位置と呼ぶ）する。この自由位置では、外羽根５１と内羽根５２とが重なって開口部４１Ｂの開口縁とバリア枠４１の外周面との間に収容され、開口部４１Ｂを開放する開放状態となる。
【００７７】
そして、連動板４４が回転付勢バネ４６の付勢力に抗して所定角度回動操作されると、下記のように作用して、バリア羽根５０が閉鎖状態となる。
すなわち、開放状態から、回転付勢バネ４６の付勢力に抗して連動板４４が図１３（ａ）において時計回り（図４中の矢印Ｆとは逆方向）に回動操作されると、外羽根５１および内羽根５２を支持する支持軸４３Ａに対して固定ボス４４Ｂが移動する。これにより、固定ボス４４Ｂと内羽根５２の係止・操作突起５２ｂとの間に架設された揺動付勢バネ４７を介して内羽根５２が閉鎖側に揺動操作される。内羽根５２が閉鎖側に揺動すると、その係止・操作突起５２ｂが外羽根５１の被操作面５１ｂを押圧して、外羽根５１を閉鎖側に揺動操作する。その結果、図１３（ｂ）に示すように、外羽根５１と内羽根５２とが開口部４１Ｂを閉ざした閉鎖状態となる。
【００７８】
連動板４４の被操作・規制突起４４Ｃに対する押圧操作が解除されると、連動板４４は回転付勢バネ４６の弾性復帰力によって回動して自由位置に戻る。連動板４４が自由位置に戻ると、内羽根５２は、係止・操作突起５２ｂが接触しているので連動板４４の端面４４ｘの回転力によって押し上げられ、開放側に揺動する。内羽根５２が開放側に揺動すると、内羽根５２の操作凹部５２ｄが外羽根５１の被操作突起５１ｄに当接し、外羽根５１を開放側に揺動操作する。その結果、外羽根５１と内羽根５２とが重なって、開口部４１Ｂを開放する開放状態となる。
【００７９】
前述したように、バリア機構４０におけるバリア羽根５０は、図１に示す撮影待機状態では開放状態となり、図２に示す沈胴状態では閉鎖状態となる。
この沈胴状態においてバリア羽根５０を閉鎖状態とする連動板４４の回動操作は、カム筒１７のバリア操作面１７Ｅによって行われる。
【００８０】
レンズ鏡筒１０が伸長・収縮する際には、前述したように、カム筒１７は回転しつつ直進移動するのに対し、バリア機構４０を備えるバリア筒１５は回転せずに直進移動する。つまり、レンズ鏡筒１０の伸長・収縮に際しては、バリア機構４０に対してカム筒１７が相対回転する。
このバリア機構４０に対するカム筒１７の相対回転によって、カム筒１７のバリア操作面１７Ｅが、連動板４４の被操作・規制突起４４Ｃを、バリア羽根５０が閉鎖状態となるように回動操作するようになっている。すなわち、撮影待機状態から沈胴状態に移行する場合には、カム筒１７は連動板４４に対して図１３において時計回り（図４において矢印Ｅとは逆方向）に回動し、カム筒１７のバリア操作面１７Ｅが連動板４４の被操作・規制突起４４Ｃを時計回りに回動操作して、沈胴状態では図１３（ｂ）に示すようにバリア羽根５０を閉鎖状態とする。
【００８１】
この状態では、図６（ｃ）に示すように、連動板４４における被操作・規制突起４４Ｃの被操作突起部４４Ｃａは、１群レンズ室１６における嵌挿孔１６Ｄに嵌入して背面側に突出している。また、被操作・規制突起４４Ｃのレンズ規制突起部４４Ｃｃは、１群レンズ室１６における移動規制部１６Ａａと対向している。
【００８２】
一方、沈胴状態から撮影待機状態に移行する場合には、カム筒１７は、連動板４４に対して図１３（ｂ）に示す閉鎖状態から反時計回り（図４において矢印Ｅ方向）に回動し、そのバリア操作面１７Ｅによる、連動板４４の被操作・規制突起４４Ｃに対する押圧操作を解除する。これにより、連動板４４は回転付勢バネ４６の弾性復帰力によって回動して自由位置に戻り、撮影待機状態ではバリア羽根５０は図１３（ａ）に示すように開放状態となる。
この状態では、図６（ａ）に示すように、連動板４４における被操作・規制突起４４Ｃのレンズ規制突起部４４Ｃｃは、連動板４４の回動によって１群レンズ室１６における嵌挿孔１６Ｄと対向する位置となり、被操作・規制突起４４Ｃの全体が嵌挿孔１６Ｄに嵌入する。
【００８３】
ここで、沈胴状態から撮影待機状態への移行操作が行われているにも拘わらず、連動板４４が自由状態に戻らない場合には、連動板４４における被操作・規制突起４４Ｃのレンズ規制突起部４４Ｃｃと、１群レンズ室１６における移動規制部１６Ａａとが下記のように作用して、バリア筒１５に対する１群レンズ室１６の前進を規制する。
【００８４】
すなわち、沈胴状態から撮影待機状態への移行操作（カム筒１７の図４中矢印Ｅ方向の回動操作）が行われているにも拘わらず、連動板４４が自由状態に戻らない（連動板４４が回転しない）と、１群レンズ室１６と連動板４４の回転方向における相対位置が変わらない。この状態では、図６（ｂ）に示すように、バリア筒１５に対して前進する１群レンズ室１６の移動規制部１６Ａａが、被操作・規制突起４４Ｃのレンズ規制突起部４４Ｃｃ（規制面４４Ｃｄ）に当接することとなる。これにより、バリア筒１５に対する１群レンズ室１６の前進が規制される。
【００８５】
つまり、沈胴状態から撮影待機状態への移行操作が行われてカム筒１７が反時計回りに回動しているにも拘わらず連動板４４が自由状態に戻らないということは、何らかの理由（たとえばバリア羽根５０が押さえつけられている等）によってバリア羽根５０が閉鎖状態から開放状態にならないことを意味する。図１３（ｂ）を用いて説明すると、端面４４ｘが反時計方向に動くとき（閉じ→開き動作）、内羽根５２が外力によって押さえつけられていた場合、内羽根５２が固定されてしまうため、端面４４ｘの回転が阻害され、端面４４ｘは回転することができない。外羽根５１が押さえつけられると、外羽根５１と内羽根５２は重なっているので、内羽根５２も押さえつけられることになり、上記同様内羽根５２が固定され、端面４４ｘの回転を阻害する。このような状況において、１群レンズ室１６がバリア筒１５に対して前進すると、１群レンズ室１６の保持する第１レンズ群Ｌ１の前面が、バリア機構４０のバリア羽根５０に接触して、傷付いてしまう虞がある。本構成では、バリア筒１５に対する１群レンズ室１６の前進を被操作・規制突起４４Ｃのレンズ規制突起部４４Ｃｃが強制的に阻止し、このような不具合を防ぐ。
【００８６】
なお、連動板４４が自由状態に戻れば、連動板４４は１群レンズ室１６に対して図４中矢印Ｆ方向に相対回動してそのレンズ規制突起部４４Ｃｃは１群レンズ室１６の嵌挿孔１６Ｄと対応する。これにより、レンズ規制突起部４４Ｃｃが１群レンズ室１６の嵌挿孔１６Ｄに嵌入してバリア筒１５に対する１群レンズ室１６の前進が許容され、沈胴状態から撮影待機状態への移行が可能となる。
【００８７】
以上、本実施形態によると、以下の効果を有する。
（１）レンズ鏡筒１０は、沈胴状態ではバリア羽根５０の背面側に位置する第１レンズ群Ｌ１の前面が、撮影待機状態では開放状態にあるバリア羽根５０の内羽根５２Ｕ，５２Ｌより前面側に突出する。沈胴状態から撮影待機状態への移行操作が行われているにも拘わらず、バリア羽根５０と連動する連動板４４が自由位置に回動しないと、バリア筒１５に対して前進する１群レンズ室１６の移動規制部１６Ａａと、被操作・規制突起４４Ｃのレンズ規制突起部４４Ｃｃ（規制面４４Ｃｄ）とが当接し、バリア筒１５に対する１群レンズ室１６の前進が規制される。
【００８８】
これにより、バリア羽根５０が押さえ付けられている等の理由によってバリア羽根５０が開放状態にならない場合には、バリア羽根５０に対する第１レンズ群Ｌ１の相対的な前進を阻止し、第１レンズ群Ｌ１の前面がバリア羽根５０に接触することを防ぐことができる。これにより、バリア羽根５０に第１レンズ群Ｌ１の前面が当接してしまうことに起因する、第１レンズ群Ｌ１の前面の傷付きや、バリア羽根５０の破損といった不具合を防ぐことができる。
【００８９】
（２）バリア機構４０における連動板４４の被操作・規制突起４４Ｃは、一つの突出部に、カム筒１７のバリア操作面１７Ｅによって操作される被操作面４４Ｃｂと、１群レンズ室１６の移動規制部１６Ａａに当接して移動を規制する規制面４４Ｃｄとの、双方を備えて構成されている。これにより、それぞれを独立して設ける構成に比較して単純で合理的に構成でき、小型化が可能となる。
【００９０】
（変形形態）
以上、説明した実施形態に限定されることなく、以下に示すような種々の変形や変更が可能であり、それらも本発明の範囲内である。
（１）本実施形態では、レンズ鏡筒１０において最も前面側に位置する第１レンズ群Ｌ１の前面は、撮影待機時においてバリア羽根５０を構成する内羽根５２より前面側で外羽根５１より背面側に位置する。しかし、この状態は、撮影待機時に限るものではなく、第１レンズ群Ｌ１が最も突出する際にこのような状態になる設定のレンズ鏡筒にも適用可能な。また、第１レンズ群Ｌ１の前面が外羽根５１より前面側に突出する構成としても良い。
（２）沈胴およびズーム機構は、上記実施形態において説明した構成に限らず、適宜変更可能である。
（３）上記実施形態では、バリア羽根５０が不開放時に１群レンズ室１６の移動を規制する、１群レンズ室１６の移動規制部１６Ａａと、連動板４４における被操作・規制突起４４Ｃの規制面４４Ｃｄとは、それぞれ光軸ＯＡと直交する平面となっている。しかし、これらは必ずしも光軸ＯＡと直交する平面である必要はなく、図５と対応する図１４に示すように、光軸ＯＡに対して所定角度で傾斜した平面であっても良い。さらに、対応する形状であれば、曲面や凹凸面としても良い。なお、図１４中の各構成要素には、図５と同符号を付してある。
（４）上記実施形態は、デジタルスチルカメラに本願発明を適用した例である。本願発明における光学機器は、これに限らず、フィルムを用いるいわゆる銀塩スチルカメラ、ビデオカメラ、撮影機能付きの携帯電話、望遠鏡等であっても良い。
【００９１】
なお、実施形態及び変形形態は、適宜組み合わせて用いることもできるが、詳細な説明は省略する。また、本発明は以上説明した実施形態によって限定されることはない。
【符号の説明】
【００９２】
１：カメラ、３Ａ：撮像素子、１０：レンズ鏡筒、１５：バリア筒、１６：１群レンズ室、１６Ａ：支持部、１６Ａａ：移動規制部、１７：カム筒、１７Ｂ：バリア筒ヘリコイド溝、１７Ｃ：レンズ室駆動カム溝、１７Ｅ：バリア操作面、２０：シャッター機構、４０：バリア機構、４４：連動板、４４Ｃ：被操作・規制突起、４４Ｃａ：被操作突起部、４４Ｃｂ：被操作面、４４Ｃｃ：レンズ規制突起部、４４Ｃｄ：規制面、５０：バリア羽根、５１Ｕ：外上羽根、５１Ｌ：外下羽根、５２Ｕ：内上羽根、５２Ｌ：内下羽根、Ｌ１：第１レンズ群、ＯＡ：光軸
【図１】
2011154169.tif 000003
【図２】
2011154169.tif 000004
【図３】
2011154169.tif 000005
【図４】
2011154169.tif 000006
【図５】
2011154169.tif 000007
【図６】
2011154169.tif 000008
【図７】
2011154169.tif 000009
【図８】
2011154169.tif 000010
【図９】
2011154169.tif 000011
【図１０】
2011154169.tif 000012
【図１１】
2011154169.tif 000013
【図１２】
2011154169.tif 000014
【図１３】
2011154169.tif 000015
【図１４】
2011154169.tif 000016